【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
利用者が所持するパーソナル携帯端末から入力された選曲予約情報を中継サーバで中継することにより、各カラオケ演奏端末においてカラオケ楽曲の選曲予約を行う機能を有し、ネットワーク接続された少なくとも２つの前記カラオケ演奏端末を同期させて、同一のカラオケ楽曲を同時に演奏することが可能な同期演奏モードを備えたカラオケ同期演奏システムであって、
同期演奏募集情報送信手段と、同期演奏募集情報登録手段と、閲覧要求信号送信手段と、閲覧要求信号受信手段と、同期演奏募集情報転送手段と、同期演奏募集情報受信手段と、同期演奏応募情報送信手段と、同期演奏情報送信手段と、同期演奏情報表示手段と、同期演奏モード移行手段と、同期演奏情報取得手段と、選曲予約情報送信手段と、選曲予約情報中継手段と、データ到達時間計測記憶手段と、を備え、
前記同期演奏募集情報送信手段と、前記閲覧要求信号送信手段と、前記同期演奏募集情報受信手段と、前記同期演奏応募情報送信手段と、前記同期演奏情報取得手段と、前記選曲予約情報送信手段は、前記パーソナル携帯端末の機能として実現され、
前記同期演奏募集情報登録手段と、前記閲覧要求信号受信手段と、前記同期演奏募集情報転送手段と、前記同期演奏情報送信手段と、前記データ到達時間計測記憶手段と、前記選曲予約情報中継手段は、前記中継サーバの機能として実現され、
前記同期演奏情報表示手段と、前記同期演奏モード移行手段は、前記カラオケ演奏端末の機能として実現され、
前記同期演奏募集情報送信手段は、前記募集者のパーソナル携帯端末から、前記中継サーバに対して、同期演奏応募者を募る旨及び当該パーソナル携帯端末に紐付けされたカラオケ演奏端末の識別情報を含む同期演奏募集情報を送信し、
前記同期演奏募集情報登録手段は、前記同期演奏募集情報を受信して、所定の格納領域に登録し、
前記閲覧要求信号送信手段は、前記応募者のパーソナル携帯端末から、前記中継サーバに対して、前記同期演奏募集情報の閲覧要求信号を送信し、
前記閲覧要求信号受信手段は、前記応募者のパーソナル携帯端末から前記同期演奏募集情報の閲覧要求信号を受信し、
前記同期演奏募集情報転送手段は、前記同期演奏募集情報の閲覧要求信号を受信すると、当該同期演奏募集情報の閲覧要求信号を送信した応募者のパーソナル携帯端末に対して、前記登録された同期演奏募集情報を転送し、
前記同期演奏募集情報受信手段は、前記中継サーバから、前記同期演奏募集情報を受信し、
前記同期演奏応募情報送信手段は、前記同期演奏募集情報に基づく同期演奏参加を希望する前記応募者のパーソナル携帯端末から、前記中継サーバに対して、同期演奏に応募する旨及び当該パーソナル携帯端末に紐付けされたカラオケ演奏端末の識別情報を含む同期演奏応募情報を送信し、
前記同期演奏情報送信手段は、前記同期演奏応募情報を受信した場合に、前記募集者のパーソナル携帯端末に紐付けされたカラオケ演奏端末に対して、同期演奏を実施する旨及び前記応募者のパーソナル携帯端末に紐付けされたカラオケ演奏端末の識別情報を含む同期演奏情報を送信すると共に、前記応募者のパーソナル携帯端末に紐付けされたカラオケ演奏端末に対して、同期演奏を実施する旨及び前記募集者のパーソナル携帯端末に紐付けされたカラオケ演奏端末の識別情報を含む同期演奏情報を送信し、
前記同期演奏情報表示手段は、前記同期演奏情報を受信すると、各カラオケ演奏端末において、前記同期演奏情報を表示し、
前記同期演奏モード移行手段は、前記同期演奏情報を受信した各カラオケ演奏端末を同期演奏モードに移行させ、
前記同期演奏情報取得手段は、前記表示された同期演奏情報を取得して所定の記憶領域に記憶し、
前記選曲予約情報送信手段は、前記募集者又は前記応募者のいずれか一方のパーソナル携帯端末から、前記中継サーバに対して、前記所定の記憶領域に記憶した同期演奏情報と、当該パーソナル携帯端末に紐付けされたカラオケ演奏端末の識別情報と、選曲楽曲の楽曲ＩＤを含む選曲予約情報を送信し、
前記データ到達時間計測記憶手段は、前記各カラオケ演奏端末に対してデータ到達時間確認信号を送信すると共に、前記各カラオケ演奏端末から、当該データ到達時間確認信号に対する応答信号が返信されてくるまでの時間を計測して、当該計測時間に基づいて各カラオケ演奏端末におけるデータ到達時間を記憶し、
前記選曲予約情報中継手段は、前記データ到達時間のうち、最も長いデータ到達時間と他のデータ到達時間との差分時間に応じて、前記データ到達時間が最も長いカラオケ演奏端末から降順に順次遅延させて、前記選曲予約情報に含まれる識別情報を有する各カラオケ演奏端末に当該選曲予約情報を送信する、
ことを特徴とするカラオケ同期演奏システム。
【請求項２】
同期演奏応募者存在情報送信手段と、同期演奏応募者存在情報表示手段と、同期演奏許諾情報送信手段と、同期演奏情報送信許可手段と、をさらに備え、
前記同期演奏応募者存在情報送信手段と、前記同期演奏情報送信許可手段は、前記中継サーバの機能として実現され、前記同期演奏許諾情報送信手段は、前記パーソナル携帯端末の機能として実現され、前記同期演奏応募者存在情報表示手段は、前記カラオケ演奏端末の機能として実現され、
前記同期演奏応募者存在情報送信手段は、前記応募者のパーソナル携帯端末から同期演奏応募情報を受信した場合に、前記募集者のパーソナル携帯端末に紐付けされたカラオケ演奏端末に当該同期演奏応募者存在情報を送信し、
前記同期演奏応募者存在情報表示手段は、前記募集者のパーソナル携帯端末に紐付けされたカラオケ演奏端末において、前記同期演奏応募者存在情報を表示させ、
前記同期演奏許諾情報送信手段は、前記募集者が前記同期演奏応募者存在情報に基づく同期演奏参加の許諾を指示した場合に、同期演奏許諾情報を送信し、
前記同期演奏情報送信許可手段は、前記同期演奏許諾情報を受信した場合に、前記同期演奏情報送信手段における同期演奏情報の送信を許可する、
ことを特徴とする請求項１に記載のカラオケ同期演奏システム。
【請求項３】
前記データ到達時間計測記憶手段は、所定のタイミング毎に、前記カラオケ演奏端末におけるデータ到達時間を計測して記憶することを特徴とする請求項１又は２に記載のカラオケ同期演奏システム。
【手続補正２】
【補正対象書類名】明細書
【補正対象項目名】０００２
【補正方法】変更
【補正の内容】
【０００２】
ネットワーク接続された複数のカラオケ演奏端末において、同一のカラオケ楽曲を同時期に演奏することができる技術が開発されている（例えば、特許文献１、特許文献２参照）。特許文献１に記載された技術は、コンピュータを内蔵したカラオケ装置を、複数台連ねてホストコンピュータに接続し、コンピュータは、通信制御装置、ＣＰＵ、採点部、Ｉ／Ｏインタフェースを備えており、再生装置が接続されている。また、再生装置には、曲目選択装置、アンプ、スピーカ、マイク、ディスプレイが接続されている。カラオケ装置を、ホストコンピュータの通信制御装置を介してＣＰＵに接続し、ＣＰＵには、Ｉ／Ｏインタフェースを介して採点結果格納部、アクセス制御部、採点表作成部、同期演奏制御部を接続することにより、カラオケ装置相互間で採点結果を比較するようになっている。
【手続補正３】
【補正対象書類名】明細書
【補正対象項目名】０００７
【補正方法】変更
【補正の内容】
【０００７】
なお、特許文献２に記載された技術は、ネットワークセッションシステムにおいて、各セッション端末における通信遅延を解消することを目的としているが、パーソナル携帯端末を選曲予約用のリモコン装置として使用することを前提として、ネットワーク接続された少なくとも２つのカラオケ演奏端末において、同期演奏の募集者及び応募者をマッチングさせて同期演奏を行うことについては何ら記載されていないため、この技術をそのまま本発明に適用することはできない。さらに、ネットワークにおけるデータ到達時間は、通信回線のトラフィック等に応じて時々刻々と変化するのが一般的であるが、特許文献２に記載された技術は、この点についてなんら考慮されていない。
【手続補正４】
【補正対象書類名】明細書
【補正対象項目名】００１３
【補正方法】変更
【補正の内容】
【００１３】
閲覧要求信号送信手段は、応募者のパーソナル携帯端末から、中継サーバに対して、同期演奏募集情報の閲覧要求信号を送信するための手段である。閲覧要求信号受信手段は、応募者のパーソナル携帯端末から同期演奏募集情報の閲覧要求信号を受信するための手段である。同期演奏募集情報転送手段は、同期演奏募集情報の閲覧要求信号を受信すると、当該同期演奏募集情報の閲覧要求信号を送信した応募者のパーソナル携帯端末に対して、登録された同期演奏募集情報を転送するための手段である。
【手続補正５】
【補正対象書類名】明細書
【補正対象項目名】００４２
【補正方法】変更
【補正の内容】
【００４２】
具体的には、いわゆるｐｉｎｇｉｎｇ処理により、中継サーバ４０から各カラオケ演奏端末８０のＩＰアドレスに対して、エコー要求のためのＩＣＰＭパケット「Ｅｃｈｏ  Ｒｅｑｕｅｓｔ」を送信する。ＩＣＰＭパケット「Ｅｃｈｏ  Ｒｅｑｕｅｓｔ」を受信した各カラオケ演奏端末８０では、中継サーバ４０のＩＰアドレスに対して、エコー応答のためのＩＣＰＭパケットパケット「ＩＣＰＭ  Ｅｃｈｏ  Ｒｅｐｌｙ  Ｍｅｓｓａｇｅ」を返信する。中継サーバ４０では、「Ｅｃｈｏ  Ｒｅｑｕｅｓｔ」を送信した時点でタイムカウントを開始し、「ＩＣＰＭ  Ｅｃｈｏ  Ｒｅｐｌｙ  Ｍｅｓｓａｇｅ」を受信した時点でタイムカウントを終了する。これにより、中継サーバ４０では、各カラオケ演奏端末８０との間におけるデータ到達時間を計測することができる。